(57)【特許請求の範囲】
【請求項１】
玉の精算に使用されたカードを収納する玉貸し機の解錠を行う玉貸し機解錠システムにおいて、
解錠操作により解錠信号を送信する解錠装置と、
前記カードを斜めに積み重ねて収納するカード保持部と、開扉することにより収納された前記カードの回収を可能とする開閉可能な開閉扉と、前記解錠信号を検知した際に前記開閉扉の解錠を行うか否か判断する解錠制御手段と、前記解錠制御手段が解錠を行うと判断した場合に前記開閉扉の解錠を行う開閉扉施錠手段と、前記カードを収納しているか否か判断する収納カード判断手段とを有する玉貸し機と、
を有し、
前記収納カード判断手段が、前記玉貸し機は前記カードを収納していないと判断した場合、前記解錠制御手段は、前記開閉扉の解錠を行わないと判断することを特徴とする玉貸し機解錠システム。
【請求項２】
前記解錠装置は、複数の前記解錠制御手段に対し、一括して前記解錠信号を送信することを特徴とする請求項１記載の玉貸し機解錠システム。
【請求項３】
前記カード保持部は、底面に対し斜めに傾いて配置される傾斜板と、前記底面に対し垂直に配置され、前記傾斜板との組み合わせでＶ字型を形成する垂直板と、前記底面、前記傾斜板及び前記垂直板とそれぞれ垂直な位置に配置される側面板とを有し、
前記カードを前記傾斜板と平行に配置し、前記カードの側面を前記垂直板及び前記側面板によって保持することにより、前記カードを収納することを特徴とする請求項１記載の玉貸し機解錠システム。
【発明の詳細な説明】
【０００１】
【発明の属する技術分野】
本発明は、玉の精算に使用されたカードを収納する玉貸し機の解錠を行う玉貸し機解錠システムに関し、特に複数の玉貸し機に対応する玉貸し機解錠システムに関する。
【０００２】
【従来の技術】
近年、遊技用の玉を購入し、購入した玉を遊技台に供給する玉貸し機において、玉の購入代金を金額データとして記録したカードを用い、購入する玉の金額換算を行う玉貸し機が提案されている。このような玉貸し機を用いる場合、まず、利用者は、遊技を行う金額に応じたカードの購入を行う。この際、購入したカードには、購入した金額に相当する金額データが記録されることとなる。例えば、利用者が１００００円分の遊技を行おうとする場合、利用者は１００００円に相当するカードを購入することとなり、この場合、購入したカードには１００００円分に相当する金額データが記録されることとなる。
【０００３】
カードを購入した利用者は、購入したカードを玉貸し機に挿入し、必要な分だけ玉を購入する。この購入に際し、購入した玉の代金はカードに記録された金額データから減算されることとなり、このカードによる玉の購入は、カードに記録された金額が玉の購入代金及び手数料を下回るまで行うことができる。そして、このように玉が購入され、金額データで示される残高が一定値を下回ったカードは、玉貸し機より排出され、利用者に返却されることとなる。
【０００４】
しかし、このように使用済みのカードを利用者に返却する玉貸し機においては、実質、使用済みのカードはすべて廃棄されることとなり、資源の有効利用、及びランニングコストの削減の面において望ましくない。そこで、このような問題を解決する手段として、使用済みのカードを玉貸し機の中に一旦収納し、それらを回収して再利用することができる玉貸し機の提案が行われている。
【０００５】
このような玉貸し機が収納した使用済みカードの回収は、店員が各玉貸し機ごとにカード収納部の扉を解錠し、各玉貸し機に収納されたカードを順次収集していくことにより行われる。
【０００６】
【発明が解決しようとする課題】
しかし、玉貸し機は遊技台に対して１対１で設置されることとなるため、その設置台数も多く、各玉貸し機ごとにカード収納部の扉を解錠していく方法では、カードの回収に時間を要してしまうという問題点がある。
【０００７】
本発明はこのような点に鑑みてなされたものであり、玉貸し機に収納されたカードの回収を容易に行うことが可能な玉貸し機解錠システムを提供することを目的とする。
【０００８】
【課題を解決するための手段】
本発明では上記課題を解決するために、玉の精算に使用されたカードを収納する玉貸し機の解錠を行う玉貸し機解錠システムにおいて、解錠操作により解錠信号を送信する解錠装置と、前記カードを斜めに積み重ねて収納するカード保持部と、開扉することにより収納された前記カードの回収を可能とする開閉可能な開閉扉と、前記解錠信号を検知した際に前記開閉扉の解錠を行うか否か判断する解錠制御手段と、前記解錠制御手段が解錠を行うと判断した場合に前記開閉扉の解錠を行う開閉扉施錠手段と、前記カードを収納しているか否か判断する収納カード判断手段とを有する玉貸し機と、を有し、前記収納カード判断手段が、前記玉貸し機は前記カードを収納していないと判断した場合、前記解錠制御手段は、前記開閉扉の解錠を行わないと判断することを特徴とする玉貸し機解錠システムが提供される。
【０００９】
ここで、解錠装置は解錠操作により解錠信号を送信し、カード保持部はカードを斜めに積み重ねて収納し、開閉扉は開扉することにより収納されたカードの回収を可能とし、解錠制御手段は解錠信号を検知した際に開閉扉の解錠を行うか否か判断し、開閉扉施錠手段は、錠制御手段が解錠を行うと判断した場合に開閉扉の解錠を行う。
【００１０】
【発明の実施の形態】
以下、本発明の実施の形態を図面を参照して説明する。
図１は、本形態における玉貸し機解錠システム１の電気的な構成の概略を示したブロック図である。玉貸し機解錠システム１は、複数の玉貸し機２０、及び解錠操作により解錠信号を送信し、玉貸し機２０の遠隔操作を行う解錠装置１０とによって構成されている。また、玉貸し機２０は、後述する開閉扉の解錠を行うか否か判断する解錠制御手段としての機能を有する制御装置２２、及び開閉扉を施錠・解錠する開閉扉施錠手段であるパネルキー２４ｃを有している。なお、図１では、説明の簡略化のため、玉貸し機２０が有するその他の構成要素については省略してある。
【００１１】
ここで、解錠装置１０は、各玉貸し機２０がそれぞれ有する制御装置２２と電気的に接続されており、各制御装置２２は、各玉貸し機２０のパネルキー２４ｃと電気的に接続されている。
【００１２】
図２は、各玉貸し機２０の電気的な構成の詳細を示したブロック図である。
玉貸し機２０は、制御装置２２、パネルキー２４ｃ、遊技台に玉の供給指令を出す玉供給制御装置２１、カードの収納の有無を判断するカード収納判断手段である有無センサ発光部２４ｅ、有無センサ受光部２４ｆ、収納されたカードの収納数が上限に達しているか否か判断する上限センサ発光部２４ｇ、上限センサ受光部２４ｈ、及びカードに記録されたデータの読み書き等を行うカードリーダライタ２３によって構成されている。
【００１３】
ここで制御装置２２は、解錠装置１０、パネルキー２４ｃ、玉供給制御装置２１、有無センサ発光部２４ｅ、有無センサ受光部２４ｆ、上限センサ発光部２４ｇ、上限センサ受光部２４ｈ、及びカードリーダライタ２３と電気的に接続されている。
【００１４】
図３は、解錠装置１０の外観構成を示した斜視図である。
解錠装置１０は、玉貸し機２０を遠隔操作する際に用いられる鍵を挿入する鍵穴１０ａ、解錠ランプ１０ｂ、及び引抜きランプ１０ｃを有している。
【００１５】
図４は、玉貸し機２０の構成を示した断面図であり、図５はその正面図である。ここで、図５の（ａ）は前面パネル２４ｂが閉じた状態を、図５の（ｂ）は前面パネル２４ｂが開いた状態をそれぞれ示している。
【００１６】
玉貸し機２０は、カード３０に記録された金額データの読み取り等を行うカードリーダライタ２３、制御装置２２、制御装置２２から収納指示を受けたカード３０を収納するカード収納装置２４、及び制御装置２２から指示をうけ、遊技台への玉供給指示を与える玉供給制御手段２１とによって構成されている。
【００１７】
カードリーダライタ２３はカード挿入口２３ａを有し、このカード挿入口２３ａからカード３０が挿入される。
カード収納装置２４は、板形状を有し、カード収納装置２４の外部に配置される開閉可能な開閉扉である前面パネル２４ｂ、収納されたカード３０がカード取出し口２４ａｅから飛び出すことを防止するストッパー２４ｄ、カード３０を収納し、引き出されることによって収納したカード３０を外部に運搬するカード保持部２４ａ、前面パネル２４ｂを施錠・解錠するパネルキー２４ｃ、カード収納装置２４にカード３０が収納されているか否か判断するための検出光を発光する有無センサ発光部２４ｅ、有無センサ発光部２４ｅが発光した検出光を検出する有無センサ受光部２４ｆ、収納されたカード３０の収納数が上限に達しているか否か判断するための検出光を発光する上限センサ発光部２４ｇ、及び上限センサ発光部２４ｇが発光した検出光を検出する上限センサ受光部２４ｈによって構成されている。ここで、カード保持部２４ａは、有無センサ発光部２４ｅから出力された検出光を通過させる検出光通過部２４ａｄを有している。
【００１８】
制御装置２２は、プロセッサを中心とした構成となっており、図示されていないＲＯＭに格納されたプログラムに従って動作する。
また、カード３０としては、接触端子を介して信号の授受を行う接触式のものを用いてもよく、また、磁気、電波、赤外線、光のいずれかを伝達媒体とした非接触式のものを用いてもよい。
【００１９】
図６は、解錠装置１０、玉貸し機２０、及び各玉貸し機２０に対応する遊技台４０の配置構成例を示した斜視図である。
次に、本形態における玉貸し機解錠システム１の動作について説明する。まず、解錠装置１０からの遠隔操作によって行われるパネルキー２４ｃの解錠動作について説明する。
【００２０】
前面パネル２４ｂはパネルキー２４ｃによって施錠されており、パネルキー２４ｃは、個別にパネルキー２４ｃに鍵を挿入することにより、或いは解錠装置１０からの遠隔操作によって解錠することができる。
【００２１】
解錠装置１０を用いた遠隔操作による解錠は、複数の玉貸し機２０がそれぞれ有するパネルキー２４ｃに対して一括で行うことが可能であり、この場合、まず、解錠を行う店員等は、解錠装置１０の鍵穴１０ａに鍵を挿入し、挿入した鍵を押しながら解錠ランプ１０ｂの位置まで回す。これにより、解錠ランプ１０ｂが点灯し、解錠装置１０からは解錠信号が各玉貸し機２０の制御装置２２に送られる。解錠信号を受け取った各制御装置２２は、後述する方法によって、カード３０がカード収納装置２４に収納されているか否か判断し、カード３０が収納されていると判断した場合、自己が制御するパネルキー２４ｃに指示を与え、この指示を受けたパネルキー２４ｃは前面パネル２４ｂの解錠を行う。ここで、カード３０が収納されていないと判断した場合には、パネルキー２４ｃの解錠は行わない。このようにして各玉貸し機２０のパネルキー２４ｃの解錠が終了すると、次に鍵を引抜ランプ１０ｃの位置まで回し、鍵を引抜く。このようにすることにより、複数の玉貸し機２０のパネルキー２４ｃの解錠を連動して行うことが可能となり、解錠作業が簡易化される。
【００２２】
次に、玉貸し機解錠システム１が有する玉貸し機２０の動作について説明する。
利用者が玉貸し機２０を用いて遊技用の玉を購入する場合、まず、利用者は、店内に別途設置されたカード販売機等によってカード３０を購入する。ここで購入したカードには、玉を購入する代金が金額データとして記録されている。
【００２３】
カード３０を購入した利用者は、購入したカード３０を玉貸し機２０のカード挿入口２３ａからＡ方向に挿入し、挿入されたカード３０はカードリーダライタ２３に取り込まれる。カード３０を取り込んだカードリーダライタ２３は、取り込んだカード３０に記録された金額データを読み込み、その結果を制御装置２２に伝える。
【００２４】
金額データを受け取った制御装置２２は、別途、利用者によって入力指示された玉の購入数等を考慮し、購入した玉の代金及び手数料等を金額データから減算し、玉供給制御装置２１に購入した玉の供給指示を与える。玉の供給指示を受け取った玉供給制御装置２１は遊技台へ玉の供給指示を与え、この指示を受け取った遊技台は玉の出力を行う。なお、本形態では、玉の出力自体は遊技台が行うこととしているが、玉貸し機２０に玉を出力する機構を設け、玉貸し機２０から玉を出力する構成としてもよい。
【００２５】
一方、玉の購入代金等を減算された金額データは、カードリーダライタ２３に送られ、そこでカード３０に記録されることとなるが、ここで、減算された金額データに相当する金額が１回の玉貸しに必要な金額以下になっている場合、制御装置２２は、カード３０に記録されている残高分の玉を出力する指示を玉供給制御装置２１に与え、残高分の玉を出力させる。同時に、カード３０の金額データに示される金額を０にし、カード３０をカード収納装置２４に収納する指示をカードリーダライタ２３に与える。
【００２６】
この指示を受け取ったカードリーダライタ２３は、カード３０の金額データに示される金額を０にするとともに、そのカード３０をカード収納装置２４に収納する。カード３０の収納は、カード３０を図４に示すＢ方向に落下させることによって行われ、落下したカード３０はカード収納装置２４のカード保持部２４ａに収納される。
【００２７】
図７に図４のカード保持部２４ａにおけるＣ−Ｃ断面図を、図８にカード保持部２４ａの斜視図を示す。
図７及び図８に示すように、カード保持部２４ａは、カード保持部２４ａの底面に対して斜めに傾いて配置される平面形状を有する傾斜板２４ａａと、平面形状を有し、底面に対して垂直に配置され、傾斜板２４ａａとの組み合わせでＶ字型を形成する垂直板２４ａｂ、及び底面、傾斜板、垂直板とそれぞれ垂直な位置に配置される平面形状を有する側面板２４ａｃによって構成されている。ここで、傾斜板２４ａａには検出光通過部２４ａｄが形成されている。
【００２８】
Ｂ方向に落下したカード３０は、傾斜板２４ａａに沿って倒れこみ、この傾斜板２４ａａ上に積み重なって配置されることとなる。これにより、カード３０はカード保持部２４ａの底面に対して斜めに積み重ねられて収納されることとなる。また、カード３０は、その１側面を垂直板２４ａｂによって保持され、また別の１側面を側面板２４ａｃによって保持される。これにより、収納されるカード３０は、傾斜板２４ａａ、垂直板２４ａｂ及び側面板２４ａｃの３平面によってのみ保持されており、側面板２４ａｃと向かい合うカード取出し口２４ａｅ側の面からは保持されていない。そこで、このカード取出し口２４ａｅ側の面からカード３０を保持し、カード取出し口２４ａｅからのカード３０飛び出しを防止する手段として、ストッパー２４ｄが配置される。
【００２９】
図４及び図５の（ｂ）に示すように、ストッパー２４ｄは板形状を有しており、その板形状の平面部によって、カード保持部２４ａに収納されたカード３０の側面をカード取出し口２４ａｅ側から保持する。ストッパー２４ｄは、その１辺がカード収納装置２４の側面に取りつけられ、その取付け部を回転軸とした回転運動を可能としている。この回転運動によって、ストッパー２４ｄは、その平面部がカード保持部２４ａのカード取出し口２４ａｅ側の側面と平行に配置される位置から、垂直に配置される位置まで回転移動することが可能となっている。また、ストッパー２４ｄは、バネ等の弾性体の弾性力によって、その平面部がカード取出し口２４ａｅ側の側面と平行に配置されるように加圧されている。これにより、カード保持部２４ａがカード収納装置２４に収納された状態においては、常時、ストッパー２４ｄが、カード保持部２４ａに収納されたカード３０の側面をカード取出し口２４ａｅ側から保持することとなる。
【００３０】
次に、カード３０が収納されているか否か判断する有無センサ発光部２４ｅ、有無センサ受光部２４ｆ、及びカード３０の収納数が上限に達しているか否か判断する上限センサ発光部２４ｇ、上限センサ受光部２４ｈの動作について説明する。図９及び図１０は、有無センサ発光部２４ｅ、有無センサ受光部２４ｆ、上限センサ発光部２４ｇ、及び上限センサ受光部２４ｈの動作を示した図である。
【００３１】
図９及び図１０に示すように、有無センサ発光部２４ｅはカード収納装置２４の底面内側に、有無センサ受光部２４ｆ及び上限センサ受光部２４ｈはカード収納装置２４の側面内側に、上限センサ発光部２４ｇはカード収納装置２４の上面内側にそれぞれ配置される。これにより、有無センサ発光部２４ｅ及び上限センサ発光部２４ｇからは、収納されるカード３０の積み重ね方向を斜めに横切る方向に検出光が出力されることとなる。
【００３２】
これらのセンサは、制御装置２２によって制御され、制御装置２２がカードリーダライタ２３に対してカード３０を収納する指示を行う場合、及び解錠装置１０からの遠隔操作によってパネルキー２４ｃへ解錠指示が与えられた場合に一定期間動作し、有無センサ発光部２４ｅから出力された検出光は有無センサ受光部２４ｆで、上限センサ発光部２４ｇから出力された検出光は上限センサ受光部２４ｈでそれぞれ検出される。
【００３３】
まず、図９を用いて、カード３０が収納されているか否かを判断する判断方法について説明する。
図９の（ａ）に示すように、カード保持部２４ａにカード３０が収納されていない場合、有無センサ発光部２４ｅから出力された検出光は、カード保持部２４ａの検出光通過部２４ａｄを通過し、有無センサ受光部２４ｆに達する。そして、有無センサ受光部２４ｆに達した検出光は、有無センサ受光部２４ｆによって検出されることとなる。一方、図９の（ｂ）に示すように、カード保持部２４ａにカード３０が収納された場合、有無センサ発光部２４ｅから出力された検出光は、カード保持部２４ａに収納されたカード３０によって遮断され、この検出光が有無センサ受光部２４ｆに達することはない。この場合、有無センサ受光部２４ｆによる検出光の検出は行われない。
【００３４】
以上ように、カード保持部２４ａにカード３０が収納されていない場合、有無センサ受光部２４ｆは検出光を検出し、カード３０が収納されている場合、有無センサ受光部２４ｆは検出光を検出しないこととなるため、有無センサ受光部２４ｆが検出光を検出するか否かを判断することによって、カード３０がカード保持部２４ａにカード３０が収納されているか否かを判断することが可能となる。
【００３５】
次に、図１０を用いて、カード３０の収納数が上限に達しているか否かを判断する判断方法について説明する。
図１０の（ａ）は、収納されたカード３０が収納数の上限に達していない場合を示している。この場合、上限センサ発光部２４ｇから出力された検出光は、上限センサ受光部２４ｈに達し、上限センサ受光部２４ｈに達した検出光は、上限センサ受光部２４ｈによって検出されることとなる。一方、図１０の（ｂ）は、カード３０が収納数の上限に達している場合を示し、この場合、上限センサ発光部２４ｇから出力された検出光は、カード３０によって遮断され、この検出光が上限センサ受光部２４ｈに達することはない。この場合、上限センサ受光部２４ｈによる検出光の検出は行われない。
【００３６】
以上ように、収納されたカード３０が収納数の上限に達していない場合、上限センサ受光部２４ｈは検出光を検出し、カード３０が収納数の上限に達している場合、上限センサ受光部２４ｈは検出光を検出しないこととなるため、上限センサ受光部２４ｈが検出光を検出するか否かを判断することによって、収納されたカード３０が収納数の上限に達しているか否かを判断することが可能となる。
【００３７】
次に、図２を用い、上述した判断手順について説明する。
制御装置２２がカードリーダライタ２３に対してカード３０を収納する指示を行う場合、或いは解錠装置１０による遠隔操作によってパネルキー２４ｃへ解錠指示が与えられた場合、制御装置２２は上限センサ発光部２４ｇ及び有無センサ発光部２４ｅに対し、一定期間検出光を出力させる指示を行う。この指示を受け取った上限センサ発光部２４ｇ及び有無センサ発光部２４ｅは検出光を発光し、有無センサ受光部２４ｆ及び上限センサ受光部２４ｈは、それらの検出光の検出結果を制御装置２２に送る。制御装置２２は、有無センサ受光部２４ｆ及び上限センサ受光部２４ｈから受け取った検出結果をもとに、上述した判断方法に従ってカード３０の有無及び収納状態を判断し、解錠装置１０から解錠信号を受け取った際にパネルキー２４ｃの解錠を行うか否か等、その判断結果に応じた各種の処理を行う。
【００３８】
次に、カード収納装置２４に収納されたカード３０の回収動作について説明する。図１１に図４の玉貸し機２０におけるＤ−Ｄ断面図を示す。ここで、図１１の（ａ）は、カード保持部２４ａがカード収納装置２４に収納されている状態を示し、図１１の（ｂ）は、カード保持部２４ａがカード収納装置２４から引き出されている状態を示している。
【００３９】
収納されたカード３０の回収を行う場合、まず、カード３０の回収を行う店員等は、上述した解錠装置１０による遠隔操作等によってパネルキー２４ｃの解錠を行い、前面パネル２４ｂの開扉を行う。なお、ここでの前面パネル２４ｂの開扉は、前面パネル２４ｂが有する板形状の一端を軸とし、図１１の（ａ）に示したＥ方向に回転運動することによって行われる。前面パネル２４ｂが開扉されると、次に、カード３０が収納されたカード保持部２４ａのカード収納装置２４外部への引き出し動作が行われる。
【００４０】
カード保持部２４ａのカード収納装置２４外部への引き出しは、カード保持部２４ａに対して、カード収納装置２４の内部から前面パネル２４ｂに向かう方向（Ｇ方向）の力が加えられることにより行われ、カード保持部２４ａにＧ方向の力が加えられた場合、そのカード保持部２４ａは、そのカード取出し口２４ａｅ側の側面によって、ストッパー２４ｄを内側から外側の向けて加圧することとなる。カード保持部２４ａによって加圧されたストッパー２４ｄは、上述した回転軸を中心とした回転運動（Ｆ方向）を行い、その平面部がカード取出し口２４ａｅ側の側面と垂直になる位置へ回転移動する。これにより、カード取出し口２４ａｅ側を保持していたストッパー２４ｄがカード収納装置２４の側面にしまい込まれ、その後更にカード保持部２４ａにＧ方向の力が加えられることにより、カード保持部２４ａのカード取出し口２４ａｅが、カード収納装置２４の外部に引き出されることとなる（図１１（ｂ））。このように、カード３０が収納されたカード保持部２４ａが外部に引き出されることにより、収納されたカード３０の回収を容易の行うことが可能となる。
【００４１】
以上のように、本形態では、解錠装置１０は、鍵穴１０ａに挿入された鍵の操作によって解錠信号を出力し、制御装置２２は、解錠装置１０から出力された解錠信号を検知した際に、有無センサを用いてカード３０がカード保持部２４ａに収納されているか否か判断し、カード３０が収納されていると判断した場合、パネルキー２４ｃに対して前面パネル２４ｂの解錠を行う指示を与え、この指示を受けたパネルキー２４ｃは、前面パネル２４ｂの解錠を行うこととしたため、各玉貸し機２０が有する前面パネル２４ｂの解錠を一括して行うことが可能となり、各玉貸し機２０が収納したカード３０の回収作業が簡易化できる。
【００４２】
なお、本形態では、有無センサ発光部２４ｅ及び上限センサ発光部２４ｇからの検出光の出力は、制御装置２２がカードリーダライタ２３に対してカード３０を収納する指示を行う場合、及び解錠装置１０からの遠隔操作によってパネルキー２４ｃへ解錠指示が与えられた場合に一定期間行われることとしたが、その他のタイミングで検出光の出力が行われることとしてもよい。
【００４３】
また、本形態では、解錠装置１０と玉貸し機２０の制御装置２２とが電気的に接続されていることとしたが、解錠装置１０と制御装置２２とを電気的に接続せず、これらの間での信号のやり取りを、電波、赤外線等を伝達媒体とした無線通信によって行うこととしてもよい。
【００４４】
【発明の効果】
以上説明したように本発明では、解錠装置は、解錠操作によって解錠信号を送信し、解錠制御手段は、解錠装置から送信された解錠信号を検知した際に開閉扉の解錠を行うか否か判断し、開閉扉施錠手段は、解錠制御手段が開閉扉の解錠を行うと判断した場合に、開閉扉の解錠を行うこととしたため、各玉貸し機が有する開閉扉の解錠を一括して行うことが可能となり、各玉貸し機が収納したカードの回収作業が簡易化できる。
【図面の簡単な説明】
【図１】玉貸し機解錠システムの電気的な構成の概略を示したブロック図である。
【図２】各玉貸し機の電気的な構成の詳細を示したブロック図である。
【図３】解錠装置の外観構成を示した斜視図である。
【図４】玉貸し機の構成を示した断面図である。
【図５】玉貸し機の構成を示した正面図である。
【図６】解錠装置、玉貸し機、及び各玉貸し機に対応する遊技台の配置構成例を示した斜視図である。
【図７】図４のカード保持部におけるＣ−Ｃ断面図である。
【図８】カード保持部の斜視図である。
【図９】有無センサ発光部、有無センサ受光部、上限センサ発光部、及び上限センサ受光部の動作を示した図である。
【図１０】有無センサ発光部、有無センサ受光部、上限センサ発光部、及び上限センサ受光部の動作を示した図である。
【図１１】図４の玉貸し機におけるＤ−Ｄ断面図である。
【符号の説明】
１  玉貸し機解錠システム
１０  解錠装置
２０  玉貸し機
２２  制御装置
２４ａ  カード保持部
２４ｂ  前面パネル
２４ｃ  パネルキー
２４ｅ  有無センサ発光部
２４ｆ  有無センサ受光部
３０  カード
【図１】
0004437852.tif 000002
【図２】
0004437852.tif 000003
【図３】
0004437852.tif 000004
【図４】
0004437852.tif 000005
【図５】
0004437852.tif 000006
【図６】
0004437852.tif 000007
【図７】
0004437852.tif 000008
【図８】
0004437852.tif 000009
【図９】
0004437852.tif 000010
【図１０】
0004437852.tif 000011
【図１１】
0004437852.tif 000012